(57)【要約】【課題】軽量で取り扱いが容易であるとともに、十分な断熱性能を有した床下収納庫又は点検口用の蓋体を提供すること。【解決手段】床下収納庫又は点検口用の蓋体１であって、熱可塑性樹脂からなるシート状のパリソン１０Ａ、１０Ａ間に、熱硬化性樹脂発泡体からなる複数枚の断熱材１１と、この断熱材１１を区画する補強用リブ材１２とを配置し、分割金型Ｍ１、Ｍ２で挟み込んで、ブロー成形により一体成形してなる複数枚の断熱材１１を補強用リブ材１２で区画した内部構造を備え、外殻１０が熱可塑性樹脂から構成する。【選択図】図１
2013072198.tif 000002
【特許請求の範囲】
【請求項１】
床下収納庫又は点検口用の蓋体であって、熱可塑性樹脂からなるシート状のパリソン間に、熱硬化性樹脂発泡体からなる複数枚の断熱材と、該断熱材を区画する補強用リブ材とを配置し、分割金型で挟み込んで、ブロー成形により一体成形してなる複数枚の断熱材を補強用リブ材で区画した内部構造を備え、外殻が熱可塑性樹脂からなることを特徴とする床下収納庫又は点検口用の蓋体。
【請求項２】
熱可塑性樹脂が、ＡＢＳ樹脂であることを特徴とする請求項１記載の床下収納庫又は点検口用の蓋体。
【請求項３】
熱硬化性樹脂発泡体が、フェノール樹脂発泡体であることを特徴とする請求項１又は２記載の床下収納庫又は点検口用の蓋体。
【請求項４】
熱硬化性樹脂発泡体の表面を、ポリエステル不織布で覆ってなることを特徴とする請求項１、２又は３記載の床下収納庫又は点検口用の蓋体。
【発明の詳細な説明】
【技術分野】
【０００１】
本発明は、床下収納庫又は点検口用の蓋体に関し、特に、高気密・高断熱型の床下収納庫又は点検口用の蓋体に関するものである。
【背景技術】
【０００２】
従来、床下収納庫、床下点検口又は天井点検口の開口部分を塞ぐために用いられる蓋体は、室外からの冷気を遮断するために、蓋体の内部に断熱材を備えるようにしている。
内部に断熱材を備えた蓋体は、蓋体の表面部分、カバー部分及び内部に配置する断熱材を組み合わせてボルト、ビス等の締結手段を用いて組み立てる構造となっている（例えば、特許文献１参照。）。
特に、次世代省エネルギー基準の地域区分のうち、III地域〜VI地域（特にIII地域）に対応するためには、内部に多くの断熱材を配置する必要が生じ、蓋体の厚み寸法が大きくなり、重量も嵩むこととなって取り扱いが不便になるとともに、床下収納庫の蓋体とするときには、収納箱の収納スペースが浸食され、十分な収納スペースを確保することができないという問題があった。
【０００３】
さらに、次世代省エネルギー基準の地域区分のうち、Ｉ地域〜II地域に対応するためには、床下収納庫の場合、床面の開口部に配設した枠材に載置する蓋体とは別に、内蓋を兼ねた断熱材（断熱蓋）を用いて断熱性能を向上させる必要があるために、相当な厚み（１００ｍｍ以上）の断熱蓋を蓋体の内側に配備することとなる。
このため、収納箱の収納スペースがさらに小さくなり、また、床下収納庫への物の出し入れに際して、蓋体及び断熱蓋の両方を開閉（脱着）する必要があり、高齢者や子供では蓋体の開閉が困難になるという問題があった。
このように、蓋体のみで十分な断熱性能を確保することができない原因は、蓋体の表面部分、カバー部分及び内部に配置する断熱材のそれぞれが分離した構造であって、それらをボルト、ビス等の締結手段を用いて組み立てるため、それぞれの部材間に隙間が生じることとなり、十分な気密性を確保することができないためである。
【先行技術文献】
【特許文献】
【０００４】
【特許文献１】特開２００３−２１３９２３号公報
【発明の概要】
【発明が解決しようとする課題】
【０００５】
本発明は、上記従来の床下収納庫又は点検口用の蓋体の有する問題点に鑑み、軽量で取り扱いが容易であるとともに、十分な断熱性能を有する床下収納庫又は点検口用の蓋体を提供することを目的とする。
【課題を解決するための手段】
【０００６】
上記目的を達成するため、本発明の床下収納庫又は点検口用の蓋体は、床下収納庫又は点検口用の蓋体であって、熱可塑性樹脂からなるシート状のパリソン間に、熱硬化性樹脂発泡体からなる複数枚の断熱材と、該断熱材を区画する補強用リブ材とを配置し、分割金型で挟み込んで、ブロー成形により一体成形してなる複数枚の断熱材を補強用リブ材で区画した内部構造を備え、外殻が熱可塑性樹脂からなることを特徴とする。
【０００７】
この場合において、熱可塑性樹脂を、ＡＢＳ樹脂とすることができる。
【０００８】
また、熱硬化性樹脂発泡体を、フェノール樹脂発泡体とすることができる。
【０００９】
また、熱硬化性樹脂発泡体の表面を、ポリエステル不織布で覆うことができる。
【発明の効果】
【００１０】
本発明の床下収納庫又は点検口用の蓋体によれば、蓋体を熱可塑性樹脂からなるシート状のパリソン間に、熱硬化性樹脂発泡体からなる複数枚の断熱材と、該断熱材を区画する補強用リブ材とを配置し、分割金型で挟み込んで、ブロー成形により一体成形してなる複数枚の断熱材を補強用リブ材で区画した内部構造を備え、外殻が熱可塑性樹脂からなるようにしたから、蓋体の内部に配置する硬化性樹脂発泡体からなる断熱材を、蓋体の表面部材及びカバー部材となる外殻と一体として成形することができ、厚み寸法を小さくしても、十分な断熱性能を有した蓋体とすることができるとともに、断熱材を補強用リブ材で区画することで、蓋体に十分な強度を保たせることができる。
【００１１】
また、熱可塑性樹脂を、ＡＢＳ樹脂とすることにより、蓋体の表面部材となる熱可塑性樹脂を、堅牢で引っ張り、曲げ、衝撃に強く、耐熱性、耐寒性に優れたものとすることができ、特に、風呂場前や洗面所など、水気や湿気の多い場所で使用する場合でも腐食する心配がない床下収納庫又は点検口用の蓋体を提供することができる。
【００１２】
また、熱硬化性樹脂発泡体を、フェノール樹脂発泡体とすることにより、フェノールとホルムアルデヒドを原料とし、高い断熱性能を有するフェノール樹脂を用いることで、さらに良好な断熱性能を有する床下収納庫又は点検口用の蓋体を提供することができる。
【００１３】
また、熱硬化性樹脂発泡体の表面を、ポリエステル不織布で覆うことで、断熱材の強度を向上させることができるとともに、さらに良好な断熱性能を発揮することができる。
【図面の簡単な説明】
【００１４】
【図１】本発明の床下収納庫又は点検口用の蓋体の一実施例を示し、（ａ）は底面図、（ｂ）は（ａ）のＸ−Ｘ断面図である。
【図２】同床下収納庫又は点検口用の蓋体の製造工程を示し（ａ）は初期状態を、（ｂ）は分割金型間を締めた状態を示す概略図である。
【図３】同床下収納庫又は点検口用の蓋体別の実施例を示し、（ａ）は底面図、（ｂ）は正面図である。
【図４】同床下収納庫又は点検口用の蓋体の全体斜視図である。
【図５】同床下収納庫又は点検口用の蓋体で床下収納庫の開口部を塞いだ状態を示す断面図である。
【発明を実施するための形態】
【００１５】
以下、本発明の床下収納庫又は点検口用の蓋体の実施の形態を、図面に基づいて説明する。
【実施例１】
【００１６】
図１〜図５に、本発明の床下収納庫又は点検口用の蓋体の一実施例を示す。
この床下収納庫又は点検口用の蓋体１は、床下収納庫又は点検口用の蓋体であって、熱可塑性樹脂からなるシート状のパリソン１０Ａ、１０Ａ間に、熱硬化性樹脂発泡体からなる複数枚の断熱材１１と、この断熱材１１を区画する補強用リブ材１２とを配置し、分割金型Ｍ１、Ｍ２で挟み込んで、ブロー成形により一体成形してなる複数枚の断熱材１１を補強用リブ材１２で区画した内部構造を備え、外殻が熱可塑性樹脂から構成するようにしている。
【００１７】
ブロー成形は、熱可塑性樹脂からなるパリソンを、分割金型で挟み込み、内部に空気又は加圧流体を導入することでパリソンを型の内面形状に密着させた後、冷却固化して取り出す成形方法で、この床下収納庫又は点検口用の蓋体１では、図２に示すように、樹脂押し出しヘッド（図示省略）からパリソン１０Ａを対となるようにシート状に押し出し、そのパリソン１０Ａ、１０Ａ間に、補強用リブ材１２によって区画された断熱材１１を、断熱材１１と補強用リブ材１２とは密着するように配置し（図２（ａ）参照）、その後、分割金型Ｍ１、Ｍ２で挟み込み、空気又は加圧流体を導入した後に冷却して成形する（図２（ｂ）参照）。
【００１８】
分割金型Ｍ２は、床下収納庫又は点検口用の蓋体１の底面側を形成する形状となっており、分割金型Ｍ１は、床下収納庫又は点検口用の蓋体１の表面側を形成する形状となっている。本実施例においては、床下収納庫又は点検口用の蓋体１の表面側に、図４に示すように、１方向の窪み模様を施すようにしている。これによって、蓋体表面が滑りにくく、表面に積もった塵などを掃除する際も、塵が１方向に移動し、手間をかけることなく表面を綺麗に掃除することができる。
【００１９】
また、床下収納庫又は点検口用の蓋体１の側面には、指を引っ掛けて、床下収納庫又は点検口用の蓋体１を開閉することができるように窪み部１３を形成することができる。
この場合、床下収納庫又は点検口用の蓋体１が取り付けられる枠材２の窪み部１３に対応する位置に、外側に向かって屈曲する平面視コ字状の指挿入口を形成し（床面又は天井面側にも所定の空間が形成されるように切り欠くようにする。）、床下収納庫又は点検口用の蓋体１の開閉を行わないときには、カバー部材で覆うように構成する。
この窪み部１３は、４側面のすべてに形成することで、枠材２に対して、床下収納庫又は点検口用の蓋体１をどの方向に向けて載置しても問題なく開閉することができる。
窪み部１３に指を引っ掛けて開閉するようにすることで、蓋体の表面に回転取っ手を配設して開閉する一般的な床下収納庫又は点検口用の蓋体と比べて、指先が痛くなることもなく快適に蓋体の開閉を行うことができる。
【００２０】
床下収納庫又は点検口用の蓋体１の外殻１０となるパリソン１０Ａは、熱可塑性樹脂であれば、特に限定されるものではないが、本実施例においては、ＡＢＳ樹脂を用いるようにしており、これによって、堅牢で引っ張り、曲げ、衝撃に強く、耐熱性、耐寒性に優れたものとすることができ、特に、風呂場前や洗面所（サニタリー）など、水気や湿気の多い場所で使用する場合でも腐食する心配がない床下収納庫又は点検口用の蓋体を提供することができる。
【００２１】
床下収納庫又は点検口用の蓋体１内に一体に成形される断熱材１１は、熱硬化性樹脂発泡体で構成されており、断熱性に優れて性質を有し、本実施例においては、熱硬化性樹脂発泡体として、フェノール樹脂発泡体を用いることにより、高い断熱性能を備えた蓋体とすることができる。
【００２２】
断熱材１１は、フェノール樹脂発泡体を用いるほか、ポリウレタン樹脂、不飽和ポリエステル樹脂、メラニン樹脂、リグニン樹脂、ユリア樹脂等の熱硬化性樹脂製の発泡体を用いることもできる。
【００２３】
また、断熱材１１として用いる熱硬化性樹脂発泡体の表面を、ポリエステル不織布で覆うことで、断熱材１１の強度を向上させることができるとともに、さらに良好な断熱性能を発揮することができる。
【００２４】
断熱材１１を区画する補強用リブ材１２は、一体成形された後、床下収納庫又は点検口用の蓋体１の強度を保つための補強材として機能するものであれば、その材質は特に限定されるものではないが、本実施例においては、金属製のものを使用するようにしている。
なお、補強用リブ材１２は、金属製のものを用いるほか、熱可塑性樹脂とガラス繊維等からなる複合材料を用いることもできる。
補強用リブ材１２は、縦横に２組（井桁）配設するようにしているが、これに限られるものではなく、図３に示すように、縦横に１組（十字）配設するようにしてもよく、床下収納庫や床下点検口に使用する場合には、十分な強度が必要であり、縦横に２組以上、また天井点検口に用いる場合には、縦横１組で十分な強度を備えることができる。
【００２５】
次に、この床下収納庫又は点検口用の蓋体１を、床下収納庫に適用した例を図５に基づいて説明する。
【００２６】
まず、床下収納庫の収納箱３を配置する床下収納空間４の床面の開口部に、枠材２を取り付ける。
この枠材２は、アルミニウム等の金属を押出成形によって製造した長尺部材を、長手方向に所望の長さに切断し、端部同士を付き合わせて、溶接又は連結部材を介して、矩形の枠状に連結するようにして構成されるもので、図５に示すように、正面から断面視でみたとき、上部に床面に当接するフランジ部２０、フランジ部２０から下方に延設される第１立設部２１、第１立設部２１から内側に向かって、床下収納庫又は点検口用の蓋体１の端部が載置される第１水平部２２、さらにこの第１水平部２２から下方に向かって延設される第２立設部２３、そして第２立設部２３から内側に向かって収納箱３の屈曲した開口端縁部３０が載置される第２水平部２４から構成されている。
【００２７】
また、床下収納庫又は点検口用の蓋体１の側面に、上述したように指を引っ掛けて、床下収納庫又は点検口用の蓋体１を開閉する窪み部１３を形成しているときには、少なくともこの枠材２の１辺に、窪み部１３に対応する位置において、外側に向かって屈曲する平面視コ字状の指挿入口（図示省略）を形成し、常時はカバー部材（図示省略）によって指挿入口を塞ぐようにしている。
【００２８】
そして、この床下収納庫又は点検口用の蓋体１は、断熱材１１及び補強用リブ材１２をブロー成形によって一体に成形しているので、その厚みＴが約５０ｍｍと薄く、一般的な収納箱３の深さＤが４００ｍｍの場合であっても、収納物Ｗとして一升瓶を立てた状態で収納することができる。
また、重量も３ｋｇ以下に抑えることが可能であり、高齢者や子供でも床下収納庫の蓋体として、容易に開閉作業を行うことができる。
さらに、この床下収納庫又は点検口用の蓋体１の内部には、断熱材１１を区画する補強用リブ材１２が一体に成形されているから、床下収納庫の蓋体の上を歩いても蓋体がきしんで異音が発生したり破損したりすることがない。
【００２９】
以上、本発明の床下収納庫又は点検口用の蓋体について、その実施例に基づいて説明したが、本発明は上記実施例に記載した構成に限定されるものではなく、その趣旨を逸脱しない範囲において適宜その構成を変更することができるものである。
【産業上の利用可能性】
【００３０】
本発明の床下収納庫又は点検口用の蓋体は、軽量で取り扱いが容易であるとともに、十分な断熱性能を有するようにすることができることから、寒冷地等における高気密・高断熱性能が要求される床下収納庫や床下、天井点検口等の蓋体の用途に好適に用いることができる。
【符号の説明】
【００３１】
１    床下収納庫又は点検口用の蓋体
１０  外殻
１０Ａ  パリソン
１１  断熱材
１２  補強用リブ材
Ｍ１  分割金型
Ｍ２  分割金型
【図１】
2013072198.tif 000003
【図２】
2013072198.tif 000004
【図３】
2013072198.tif 000005
【図４】
2013072198.tif 000006
【図５】
2013072198.tif 000007